(57)【要約】【課題】  框の端部の加工を削減することができ、さらに竪框と横框とをがたつきなく容易に組立てることのできるサッシの提供。【解決手段】  サッシ枠１と、サッシ枠内に取付けた障子２とを備え、障子は、竪框４ａ，４ｂと横框３ａ，３ｂを四周框組みした内部にパネル５を嵌め込んであり、竪框と横框とは、一方の框３ａ，３ｂの端部を他方の框４ａ，４ｂの端部に呑み込ませて接合してあり、竪框と横框は、室内外方向の一方側に内周側に突出する突片６，７を有し、突片は、室内外方向の他方側面に気密材保持部８ａ，８ｂが凹ませて設けてあり、一方の框３ａ，３ｂの突片６は、室内外方向の一方側に屈曲する屈曲部９を有し、気密材保持部８ａが屈曲部９より先端側に設けてあり、竪横框の気密材保持部８ａ，８ｂを同一面上に配置してあり、竪横框の接合部において一方の框３ａ，３ｂの突片６を屈曲部９より切除してある。【選択図】      図１
2010150910.tif 000002
【特許請求の範囲】
【請求項１】
サッシ枠と、サッシ枠内に取付けた障子とを備え、障子は、竪框と横框を四周框組みした内部にパネルを嵌め込んであり、竪框と横框とは、一方の框の端部を他方の框の端部に呑み込ませて接合してあり、竪框と横框は、室内外方向の一方側に内周側に突出する突片を有し、突片は、室内外方向の他方側面に気密材保持部が凹ませて設けてあり、一方の框の突片は、室内外方向の一方側に屈曲する屈曲部を有し、気密材保持部が屈曲部より先端側に設けてあり、竪横框の気密材保持部を同一面上に配置してあり、竪横框の接合部において一方の框の突片を屈曲部より切除してあることを特徴とするサッシ。
【請求項２】
サッシ枠と、サッシ枠内に取付けた障子とを備え、障子は、竪框と横框を四周框組みした内部にパネルを嵌め込んであり、竪框と横框とは、一方の框の端部を他方の框の端部に呑み込ませて接合してあり、竪框と横框は、室内外方向の一方側に内周側に突出する突片を有し、突片は、室内外方向の他方側面に気密材保持部が凹ませて設けてあり、一方の框の突片は、室内外方向の一方側に屈曲する屈曲部を有し、気密材保持部が屈曲部より先端側に設けてあり、竪横框の気密材保持部を同一面上に配置してあり、一方の框の突片が対向する他方の框の突片間に着脱自在に配置してあることを特徴とするサッシ。
【請求項３】
他方の框は、室内外方向の他方側に位置決め突片を有するとともに、一方側の突片の根元側に竪横框を組む際に一方の框を所定の位置に誘導する誘導傾斜面を有することを特徴とする請求項１又は２記載のサッシ。
【請求項４】
位置決め突片は一方側の突片よりも短いことを特徴とする請求項３記載のサッシ。
【発明の詳細な説明】
【技術分野】
【０００１】
本発明は、障子の組立て性を向上したサッシに関する。
【背景技術】
【０００２】
サッシの障子において、ガラス等のパネルの周縁部を框の溝に固定するために、框に予め取付けておく先付けビードが用いられることがあるが、先付けビードを取付けるための保持部９０ａ，９０ｂは、図１７に示すように、竪框９１及び横框９２の室外側突片９３，９４に室内側に突出する形で形成してあって、横框９２の端部を竪框９１の端部に呑み込ませて接合するために、竪框９１の端部においてビードの保持部９０ａと、パネルを室内側から支持する支持片９５とを切除しなければならず、竪框９１の端部の加工が面倒であった。また、図１８に示すように、竪横框の接合部において、竪框９１の室外側突片９３の室内側面と横框９２の室外側面との間、竪框９１の室内側突片９６の室外側面と横框９２の室内側面との間にクリアランスＺがあるため、横框９２に室内外方向のガタが生じ、竪框９１と横框９２を正確に組立てるのが容易ではなかった。
【発明の概要】
【発明が解決しようとする課題】
【０００３】
本発明は以上に述べた実情に鑑み、框の端部の加工を削減することができ、さらに竪框と横框とをがたつきなく容易に組立てることのできるサッシの提供を目的とする。
【課題を解決するための手段】
【０００４】
上記の課題を達成するために請求項１記載の発明によるサッシは、サッシ枠と、サッシ枠内に取付けた障子とを備え、障子は、竪框と横框を四周框組みした内部にパネルを嵌め込んであり、竪框と横框とは、一方の框の端部を他方の框の端部に呑み込ませて接合してあり、竪框と横框は、室内外方向の一方側に内周側に突出する突片を有し、突片は、室内外方向の他方側面に気密材保持部が凹ませて設けてあり、一方の框の突片は、室内外方向の一方側に屈曲する屈曲部を有し、気密材保持部が屈曲部より先端側に設けてあり、竪横框の気密材保持部を同一面上に配置してあり、竪横框の接合部において一方の框の突片を屈曲部より切除してあることを特徴とする。
【０００５】
請求項２記載の発明によるサッシは、サッシ枠と、サッシ枠内に取付けた障子とを備え、障子は、竪框と横框を四周框組みした内部にパネルを嵌め込んであり、竪框と横框とは、一方の框の端部を他方の框の端部に呑み込ませて接合してあり、竪框と横框は、室内外方向の一方側に内周側に突出する突片を有し、突片は、室内外方向の他方側面に気密材保持部が凹ませて設けてあり、一方の框の突片は、室内外方向の一方側に屈曲する屈曲部を有し、気密材保持部が屈曲部より先端側に設けてあり、竪横框の気密材保持部を同一面上に配置してあり、一方の框の突片が対向する他方の框の突片間に着脱自在に配置してあることを特徴とする。
【０００６】
請求項３記載の発明によるサッシは、請求項１又は２記載の発明の構成に加え、他方の框は、室内外方向の他方側に位置決め突片を有するとともに、一方側の突片の根元側に竪横框を組む際に一方の框を所定の位置に誘導する誘導傾斜面を有することを特徴とする。
【０００７】
請求項４記載の発明によるサッシは、請求項３記載の発明の構成に加え、位置決め突片は一方側の突片よりも短いことを特徴とする。
【発明の効果】
【０００８】
請求項１記載の発明によるサッシは、竪横框の室内外方向の一方側の突片の他方側面に気密材保持部が凹ませて設けてあり、一方の框の突片は室内外方向の一方側に屈曲する屈曲部を有し、気密材保持部が屈曲部より先端側に設けてあり、竪横框の気密材保持部が同一面上に配置してあり、竪横框の接合部において一方の框の突片を屈曲部より切除する構成としたことで、一方の框の端部を他方の框の端部に呑み込ませるにあたり、他方の框の突片及び気密材保持部を切除する必要がなく、框の端部の加工を削減できる。
【０００９】
請求項２記載の発明によるサッシは、竪横框の室内外方向の一方側の突片の他方側面に気密材保持部が凹ませて設けてあり、一方の框の突片は室内外方向の一方側に屈曲する屈曲部を有し、気密材保持部が屈曲部より先端側に設けてあり、竪横框の気密材保持部が同一面上に配置してあり、一方の框の突片を対向する他方の框の突片間に着脱自在に配置したことで、一方の框の端部を他方の框の端部に呑み込ませるにあたり、他方の框の突片及び気密材保持部を切除する必要がない上に、一方の框の突片の端部を部分的に切除する必要もないため、框の端部の加工を一層削減できる。
【００１０】
請求項３記載の発明によるサッシは、他方の框の突片と位置決め突片との間に一方の框の長手方向端部を挿入することで、竪横框をがたつきなく正確に連結することができ、尚且つ一方の框を挿入する際に他方の框の突片の根元側に設けた誘導傾斜面により一方の框が所定の位置に誘導されるため、竪横框の連結作業を容易に行える。
【００１１】
請求項４記載の発明によるサッシは、位置決め突片を一方側の突片よりも短くしたことにより、一方側の突片と位置決め突片間に一方の框の長手方向端部を挿入するのが容易になり、竪横框の連結作業をより一層容易に行える。
【図面の簡単な説明】
【００１２】
【図１】第１実施形態のサッシの竪横框の接合部を示す縦断面図である。
【図２】第１実施形態のサッシの竪横框の接合部を示す横断面図であって、（ａ）は接合前の状態、（ｂ）は接合した状態を示している。
【図３】図２のＡ部の拡大図であって、竪横框を接合する際に横框が竪框の誘導傾斜面により誘導される様子を示している。
【図４】（ａ）は第１実施形態のサッシの障子を室外側から見た正面図であり、（ｂ）は同障子を室内側から見た正面図である。
【図５】第１実施形態のサッシの竪横框の接合部の分解斜視図である。
【図６】第１実施形態のサッシの竪横框の接合部の斜視図である。
【図７】本発明のサッシの第１実施形態を示す縦断面図である。
【図８】本発明のサッシの第１実施形態を示す横断面図である。
【図９】パネルを納める前の状態における先付けビードの断面図である。
【図１０】本発明のサッシの第２実施形態を示す縦断面図である。
【図１１】本発明のサッシの第２実施形態を示す横断面図である。
【図１２】同サッシの障子の竪横框の接合部を示す横断面図及び横框の断面図であって、（ａ）は接合前の状態、（ｂ）は接合した状態を示している。
【図１３】本発明のサッシの第３実施形態を示す縦断面図である。
【図１４】本発明のサッシの第３実施形態を示す横断面図である。
【図１５】同サッシの障子の竪横框の接合部を示す分解斜視図である。
【図１６】同サッシの障子の竪横框の接合部を示す斜視図である。
【図１７】（ａ）は従来のサッシの障子の竪横框の接合部を示す縦断面図であり、（ｂ）は同横断面図である。
【図１８】（ａ）は従来のサッシの障子の竪横框の接合部を拡大して示す横断面図であり、（ｂ）はそのＢ部拡大図である。
【発明を実施するための形態】
【００１３】
以下、本発明の実施の形態を図面に基づいて説明する。図７は、本発明の第１実施形態に係るサッシの縦断面図であり、図８は同サッシの横断面図である。このサッシは、躯体開口部に取付けられるサッシ枠１と、サッシ枠１内に開閉自在に取付けた障子２とを備えている。このサッシは、窓種としては突き出し窓であって、障子２は上部側を支点として室外側に突き出すように回動して開くようになっている。図８中の符号１２は、障子２をサッシ枠１に開閉自在に取付けている金具である。
【００１４】
サッシ枠１は、アルミニウム合金の押出形材で形成した上枠１３と下枠１４と左右の竪枠１５ａ，１５ｂとを方形に枠組みして構成してある。サッシ枠１には、障子２の室内側面の外周部に当接するタイト材１６が取付けてある。
【００１５】
障子２は、アルミニウム合金の押出形材で形成した上下の横框３ａ，３ｂと左右の竪框４ａ，４ｂとを四周框組みし、各框の内周側に形成された溝１７内にガラス製のパネル５の周縁部を嵌め込んで固定したものとなっている。パネル５は、室外側が各框に取付けた先付けビード１８により保持され、室内側は竪横の押縁１９ａ，１９ｂとシール２０とにより保持されている。
【００１６】
上側の横框３ａは、図７に示すように、室外側に内周側に突出する室外側突片６を有している。室外側突片６は、根元側に室外側に向けて斜めに屈曲する屈曲部９を有しており、屈曲部９より先端側の垂直な室内側面に、先付けビード１８を嵌合取付けするための気密材保持部８ａが、アリ溝状に凹ませて設けてある。気密材保持部８ａの深さは、１．５ｍｍである。横框３ａの室内側には、押縁１９ａを係合取付するための押縁取付部２１を有し、横框３ａの室内側壁２２は外周部が室内側に僅かに突出するように段差部２３が形成してある。
下側の横框３ｂは、上側の横框３ａと同様に、室外側に内周側に突出する室外側突片６を有している。室外側突片６は、根元側に室外側に向けて斜めに屈曲する屈曲部９を有しており、屈曲部９より先端側の垂直な室内側面に、先付けビード１８を嵌合取付けするための気密材保持部８ａがアリ溝状に凹ませて設けてある。横框３ｂの室内側には、内周側に突出する室内側突片２４を有し、室内側突片２４の室外側面に、押縁１９ａを係合取付するための押縁取付部２１を有している。横框３ｂの室内側壁２２は、外周部が室内側に僅かに突出するように段差部２３が形成してある。
上下の横框３ａ，３ｂには、竪枠４ａ，４ｂと連結するためのネジ２５を挿入するタッピングホール２６が室外側と室内側の２箇所に形成されている。
【００１７】
竪框４ａ，４ｂは、図８に示すように、室外側に内周側に突出する室外側突片７を有し、室外側突片７は略フラットな板状となっており、その室内側面に先付けビード１８を嵌合取付けするための気密材保持部８ｂがアリ溝状に凹ませて設けてある。室外側突片７の室内側面の根元側には、外周側に向かうにつれて次第に高くなるように傾斜した誘導傾斜面１１を有する三角形断面の突起２７が形成してある。竪框４ａ，４ｂの室内側には、室外側突片７よりも突出長さの短い位置決め突片１０を有している。竪框４ａ，４ｂの内周側面２８には、押縁１９ｂの先端部が係止する突条２９が設けてあり、位置決め突片１０と突条２９とに係止して押縁１９ｂが取付けてある。
【００１８】
先付けビード１８は、パネル５を障子内に納める前に予め各框３ａ，３ｂ，４ａ，４ｂに取付けられるものであって、ゴム等の弾力性を有する材料で形成され、図９に示すように、室外側面に各框の気密材保持部８ａ，８ｂに嵌め込む取付部３０を有し、室内側には内周側から外周側に向けてのびるヒレ片３１を有している。ヒレ片３１は、パネル５を取付ける前の状態では本体部３２から離間しており、パネル５を取付けると本体部３２と密着する。
【００１９】
横框３ａ，３ｂの気密材保持部８ａと竪框４ａ，４ｂの気密材保持部８ｂとは、横框３ａ，３ｂの室外側突片６を屈曲部９で室外側に屈曲させたことにより、同一面上に配置されている。竪横框の接合部においては、図１と図２（ａ）及び図５に示すように、横框３ａ，３ｂの室外側突片６を竪框４ａ，４ｂの室外側突片７の突出長さｈと同じ幅ｗだけ屈曲部９より切除し、室外側突片６，７同士が干渉しないようにしている。図１と図２（ａ）中のハッチング部分は、横框３ａ，３ｂの室外側突片６の切除部分を示している。横框３ａ，３ｂは、上述のように室外側突片６を所定の幅ｗだけ屈曲部９より切除した上で、図２（ｂ）に示すように、長手方向の端部を竪框４ａ，４ｂの室外側突片７と位置決め突片１０との間に呑み込ませて端面を竪框４ａ，４ｂの内周側面２８に突き当て、外周側よりタッピングホール２６に挿入したネジ２５により竪框４ａ，４ｂと連結している。
【００２０】
次に、障子２の組立て手順を説明する。横框３ａ，３ｂは、上述のように室外側突片６を所定の幅ｗだけ屈曲部９より切除し、竪框４ａ，４ｂは図５に示すように、位置決め突片１０と押縁取付け用の突条２９を端部より所定の幅だけ切除しておく。その後、図２（ｂ）と図６に示すように、横框３ａ，３ｂの端部を竪框４ａ，４ｂの端部に内周側から呑み込ませると、横框３ａ，３ｂは竪框４ａ，４ｂの室外側突片７の先端部と同突片根元側の突起２７と位置決め突片１０とにより室内外方向に位置決めされる。このように位置決めされることで、横框３ａ，３ｂが室内外方向にずれたり傾いたりすることがなく、障子２を正確に組み立てることができる。また、竪框４ａ，４ｂの室外側突片７及び気密材保持部８ｂを切除しなくてよいため、框の端部加工を削減できる。さらに、横框３ａ，３ｂの端部を竪框４ａ，４ｂの端部に呑み込ませる際、図３に示すように、横框３ａ，３ｂの端部が竪框４ａ，４ｂの室外側突片７の根元側に形成された誘導傾斜面１１に当接することで、横框３ａ，３ｂが室内外方向の所定の位置に誘導されるので、竪横框の連結作業が容易に行える。さらに図１に示すように、竪框４ａ，４ｂの位置決め突片１０の端部が横框３ａ，３ｂの室内側壁に形成された段差部２３に係止することにより、竪横框が上下方向に位置決めされる。そのように竪横框を位置決めしてネジ２５で固定した後、障子２の外周コーナー部に樹脂製の安全キャップ３１を竪框４ａ，４ｂの端部に嵌合させるなどして取付ける。
上述のように竪横框を四周框組みしたら、各框の気密材取付部８ａ，８ｂに先付けビード１８をそれぞれ取付け、パネル５を納める。なお先付けビード１８は、框を組む前に取付けておくこともできる。その後、各框に押縁１９ａ，１９ｂを取付け、押縁１９ａ，１９ｂとパネル５との間にシール２０を充填してパネル５を固定する。
【００２１】
以上に述べたように本サッシの障子２は、各框の室外側突片６，７に先付けビード取付用の気密材保持部８ａ，８ｂを凹ませて設け、横框３ａ，３ｂの室外側突片６を室外側に屈曲させて竪横框の気密材保持部８ａ，８ｂを同一面上に配置し、竪横框の接合部において横框３ａ，３ｂの室外側突片６を屈曲部９より切除する構成としたので、竪框４ａ，４ｂの室外側突片７及び気密材保持部８ｂを切除する必要がなく、框の端部の加工を削減できる。また、竪框４ａ，４ｂの室外側突片７と位置決め突片１０とで横框３ａ，３ｂを室内外方向に位置決めするので、障子２を正確に組むことができる。しかも、竪框４ａ，４ｂの位置決め突片１０を室外側突片７よりも短くしたことで、室外側突片７と位置決め突片１０間に横框３ａ，３ｂの端部を容易に差し入れることができるため、竪横框が組み易くなっている。さらに、竪横框を組む際に竪框４ａ，４ｂの室外側突片７の根元側に設けた誘導傾斜面１１により、横框３ａ，３ｂが室内外方向の所定の位置に誘導されるため、竪横框の連結作業の作業性を向上できる。先付けビード１８が使用できるため、障子２の組立てが容易である。
【００２２】
図１０〜１２は、本発明のサッシの第２実施形態を示している。第１実施形態のものでは、上下の横框３ａ，３ｂは何れも室内側に押縁１９ａ，１９ａが取付けてあったが、本実施形態のものは図１０に示すように、下側の横框３ｂにはパネル５の室内側を支持するパネル支持片３３が横框３ｂと一体に形成され、上側の横框３ａの室内側にのみ押縁１９ａを取付けている。横框３ａ，３ｂの室外側に、根元側に屈曲部９を有する室外側突片６を有し、室外側突片６の室内側面に気密材保持部８ａが凹ませて設けてある点は、第１実施形態のものと同様である。パネル５は、複層ガラスになっている。
竪框４ａ，４ｂは、図１１に示すように、室内側に位置決め突片１０が室外側突片７と同じ長さだけ内周側に突出するように設けてあり、位置決め突片１０の室外側に押縁１９ｂを取付けてパネル５を固定している。室外側突片７の室内側面の先端側に気密材保持部８ｂが凹ませて設けてあり、根元側に誘導傾斜面１１を有する突起２７が設けてある点は、第１実施形態のものと同様である。横框３ａ，３ｂの気密材保持部８ａと竪框４ａ，４ｂの気密材保持部８ｂとは、同一面上に配置されている。
【００２３】
横框３ａ，３ｂと竪框４ａ，４ｂとの接合は、第１実施形態の場合と同様に、横框３ａ，３ｂの室外側突片６を端面から竪框４ａ，４ｂの室外側突片７の突出長さ分だけ屈曲部９より切除した上で、図１２（ａ），（ｂ）に示すように、横框３ａ，３ｂの長手方向端部を竪框４ａ，４ｂの室外側突片７と位置決め突片１０の間に挿入し、端面を竪框４ａ，４ｂの内周側面２８に突き当て、外周側からのネジ２５で固定する。
本実施形態のサッシも、竪框４ａ，４ｂの室外側突片７及び気密材保持部８ｂを切除する必要がなく、框の端部の加工を削減できる。また、横框３ａ，３ｂの端部を竪框４ａ，４ｂの室外側突片７と位置決め突片１０の間に挿入する際、誘導傾斜面１１により横框３ａ，３ｂが所定の位置に誘導され、且つ突起２７により横框３ａ，３ｂの室内外方向のずれや傾きが規制されるため、竪横框の組立てを簡単に且つ正確に行うことができる。
【００２４】
上記実施形態のように、上下の横框３ａ，３ｂの一方だけに押縁１９ａが設けられ、竪框４ａ，４ｂの位置決め突片１０の突出長さが室外側突片７と同じ場合でも、パネル５の着脱を障子２をサッシ枠１に取付けたままの状態で行うことができる（第１実施形態のサッシは、四方の框全てが押縁形式となっているので、当然に障子２をサッシ枠１に取付けたままでパネル５の着脱が行える。）。
パネル５を障子２に納める場合について説明すると、上側の横框３ａの押縁１９ａと左右竪框４ａ，４ｂの押縁１９ｂを取外した状態で、パネル５を下側の横框３ｂの室内側のパネル支持片３３よりも上に持ち上げ、パネル５の側縁部を竪框４ａ，４ｂの内周側に開口した溝１７内に室内側から左右けんどん式に挿入する。その後、パネル５を下に下ろしてパネル５の下縁部を下側の横框３ｂの溝１７に挿入する。その後、上側の横框３ａと左右竪框４ａ，４ｂに押縁１９ａ，１９ｂをそれぞれ取付け、室内側からシール材２０をパネル５の四周に装填する。
【００２５】
上述のように、上側の横框３ａに押縁１９ａを設けているのは、突き出し窓等の装飾窓においては障子２のサッシ枠１への着脱に手間がかかるため、障子２をサッシ枠１に取付けたままでパネル５の交換等が行えるようにするためであり、引き違いサッシでは障子２の着脱が容易で、障子２をサッシ枠１から取外して分解してパネル５の交換等を行えばよいため、上下の横框３ａ，３ｂのいずれにも室内側のパネル支持片３３を一体的に設けてもよい。
【００２６】
図１３〜１６は、本発明のサッシの第３実施形態を示している。本実施形態のものは、下側の横枠３ｂの室外側突片６が、押縁３４として着脱自在に形成されている点が他の実施形態と異なっている。当該押縁３４は、図１５に示すように、左右の両端を垂直に切断して、図１４に示すように、左右の竪枠４ａ，４ｂの室外側突片７，７の間に配置されている。横框３ａ，３ｂの室外側突片６に屈曲部９を設け、横框３ａ，３ｂの室外側突片６の気密材保持部８ａと竪框４ａ，４ｂの室外側突片７の気密材保持部８ｂを同一面上に配置してある点は、第１及び第２実施形態のものと同様である。なお竪框４ａ，４ｂは、図１４に示すように、位置決め突片１０の突出長さを室外側突片７と同じ長さにしているが、第１実施形態のもののように（図８参照）、位置決め突片１０の突出長さを室外側突片７よりも短くすることもできる。
本実施形態のものは、横框３ｂの室外側突片６を押縁３４として横框３ｂと分離して形成したことで、室外側突片６の両端を屈曲部９より切除する必要がなく、押縁３４と横框３ｂを所定の長さに単に切断するだけでよくなるので、框の端部加工をさらに削減できる。また押縁３４を取外すことで、障子２をサッシ枠１に取付けたままの状態でパネル５の交換等を室外側の下方より左右けんどん式に行うことができる。
【００２７】
本発明は、以上に述べた実施形態に限定されない。実施形態のものは、横框３ａ，３ｂの端部を竪框４ａ，４ｂの端部に呑み込ませたものであって、横框３ａ，３ｂの室外側突片６を室外側に屈曲させ、竪横框の接合部において横框３ａ，３ｂの室外側突片６を屈曲部９より切除していたが、これとは逆に竪框４ａ，４ｂの室外側突片７を室外側に屈曲させ、竪横框の接合部において竪框４ａ，４ｂの室外側突片７を屈曲部より切除し、竪框４ａ，４ｂの端部を横框３ａ，３ｂの端部に呑み込ませたものであってもよい。先付けビード１８を取付ける突片６，７は、必ずしも室外側に配置されている必要はなく、室内側に配置することもできる。先付けビード１８と反対側のパネルの固定は、押縁１９ａ，１９ｂとシール２０によるものに限らず、例えば框に一体成形した突片に後付けビードを取付けるようにしてもよい。横框の押縁１９ａ又は３４を設ける箇所は、上側の横框３ａの室外側か室内側、下側の横框３ｂの室外側か室内側のうち何れであってもよく、また押縁１９ａ，３４を有しないものであってもよい。竪框４ａ，４ｂの室外側突片７の室内側面の突起２７は、誘導傾斜面１１を有する三角形状のものに限らず、誘導傾斜面１１を有しない矩形状のものであってもよい。窓の種類としては、いかなる窓種にも対応可能であり、例えば回転窓、すべり出し窓、内倒し・外倒し窓等のスイング系の窓の他、嵌め殺し窓や、引き違い窓、片引き窓といったスライド系の窓にも適用できる。
【符号の説明】
【００２８】
１  サッシ枠
２  障子
３ａ，３ｂ  横框（一方の框）
４ａ，４ｂ  竪框（他方の框）
５  パネル
６  横框の室外側突片（突片）
７  竪框の室外側突片（突片）
８ａ，８ｂ  気密材保持部
９  屈曲部
１０  位置決め突片
１１  誘導傾斜面
１８  先付けビード（気密材）
【図１】
2010150910.tif 000003
【図２】
2010150910.tif 000004
【図３】
2010150910.tif 000005
【図４】
2010150910.tif 000006
【図５】
2010150910.tif 000007
【図６】
2010150910.tif 000008
【図７】
2010150910.tif 000009
【図８】
2010150910.tif 000010
【図９】
2010150910.tif 000011
【図１０】
2010150910.tif 000012
【図１１】
2010150910.tif 000013
【図１２】
2010150910.tif 000014
【図１３】
2010150910.tif 000015
【図１４】
2010150910.tif 000016
【図１５】
2010150910.tif 000017
【図１６】
2010150910.tif 000018
【図１７】
2010150910.tif 000019
【図１８】
2010150910.tif 000020